(57)【要約】【課題】折り畳みが容易で、折り畳む際に手あるいは指を挟むことを防止できる折り畳み椅子を提供する。【解決手段】折り畳み椅子は、互いに連結された第１フレーム及び第２フレームと、第１フレーム及び第２フレームに取り付けられた座面部と取手とから構成される。第１フレーム及び第２フレームは、略コの字型のパイプ状であって、一対の脚部と、脚部間に垂設された連結部とからなる。座面部の対角上に第１連結部と第２連結部とを跨ぐように帯状の取手が設けられている。【選択図】図１
2014000256.tif 000002
【特許請求の範囲】
【請求項１】
一対の第１脚部と前記第１脚部間に連結された第１連結部とからなる第１フレームと、
一対の第２脚部と前記第２脚部間に連結された第２連結部とからなる第２フレームと、
前記第１連結部と前記第２連結部の間に架け渡された折り畳み可能な座面部とを備え、
前記第１脚部と前記第２脚部とはＸ字状に交差し交差軸を中心に回動可能に連結され、
前記第１連結部と前記第２連結部が離間した使用状態から、前記第１連結部と前記第２連結部が接した収納状態へ折り畳み可能な折り畳み椅子であって、
前記座面部の対角上に前記第１連結部と前記第２連結部とを跨ぐように帯状の取手が設けられたことを特徴とする折り畳み椅子。
【請求項２】
前記取手は、前記使用状態において、前記座面部の座面上に添うように長さ調整して設けられたことを特徴とする請求項１記載の折り畳み椅子。
【請求項３】
前記取手は、前記座面部又は前記第１連結部及び前記第２連結部に対して、着脱自在に構成されたことを特徴とする請求項１又は２記載の折り畳み椅子。
【請求項４】
前記収納状態で前記交差軸の軸方向から見て、前記第１脚部と前記第２脚部の間に隙間が形成されていることを特徴とする請求項１〜３のいずれか１項に記載の折り畳み椅子。
【請求項５】
前記交差軸の軸方向から見て、前記第１脚部が略直線状に形成され、前記第２脚部は前記交差軸を中心とする略Ｓ字状に形成されていることを特徴とする請求項４に記載の折り畳み椅子。
【請求項６】
前記収納状態で前記交差軸に直交する方向から見て、前記第１フレームと前記第２フレームは略コの字型で近接して形成されていることを特徴とする、請求項４又は５に記載の折り畳み椅子。
【発明の詳細な説明】
【技術分野】
【０００１】
本発明は、折り畳むことにより収納や運搬が可能な折り畳み椅子に関する。
【背景技術】
【０００２】
一般に、折り畳み椅子は、使用後にコンパクトに折り畳むことできるため、収納や運搬に便利である。例えば、折り畳みが容易な椅子として、２つのコの字型のフレームと座面部とからなる折りたたみ椅子が提案されている（例えば、特許文献１、２）。このような折り畳み椅子では、コの字型のフレーム２つを側面視略Ｘ字状に開閉可能に連結することで、４本の脚が形成され、２つのフレーム上縁部に座面部を張り渡すことで、座面が形成される。
【先行技術文献】
【特許文献】
【０００３】
【特許文献１】特開２０００−０７００４０号公報
【特許文献２】特開２００４−２４３０２５号公報
【発明の概要】
【発明が解決しようとする課題】
【０００４】
ところで、東京都商品等安全対策協議会による折り畳み椅子が関連した事故事例の分析によると（平成２０年３月「折りたたみ椅子等の安全確保について」協議会報告書）、０歳から５歳では、「大人がたたもうとしたとき、子どもが隣にいて可動部に指を挟んだ。」「子どもがいじって倒れまたは倒れそうになり、指を挟んだ。」「子どもが自分でたたもうとして指を挟んだ。」といった傾向があり、２０歳以上では、「不意に折りたたまれそうになり可動部をつかんで指を挟んだ。」という傾向があることが分かった。すなわち、上記従来の折り畳み椅子のように、折り畳むとフレーム同士が重なる形態となる場合、重なったフレームの間に手あるいは指が挟まれてしまうという状況が起こりうる。
【０００５】
本発明は、以上のような従来技術の課題を解決するために提案されたものであり、その目的は、折り畳みが容易で、折り畳む際に手あるいは指を挟むことを防止できる折り畳み椅子を提供することにある。
【課題を解決するための手段】
【０００６】
上記目的を達成するため、請求項１の発明は、一対の第１脚部と前記第１脚部間に連結された第１連結部とからなる第１フレームと、一対の第２脚部と前記第２脚部間に連結された第２連結部とからなる第２フレームと、前記第１連結部と前記第２連結部の間に架け渡された折り畳み可能な座面部とを備え、前記第１脚部と前記第２脚部とはＸ字状に交差し交差軸を中心に回動可能に連結され、前記第１連結部と前記第２連結部が離間した使用状態から、前記第１連結部と前記第２連結部が接した収納状態へ折り畳み可能な折り畳み椅子であって、前記座面部の対角方向に前記第１連結部と前記第２連結部とを跨ぐように帯状の取手が設けられたことを特徴とする。
【０００７】
以上の態様では、第１フレームと第２フレームとの間に架け渡された座面部の対角方向に、帯状の取手が設けられている。そのため、椅子を使用状態から収納状態にするに当たっては、この取手を持ち上げることにより容易に行うことができる。すなわち、この取手は、第１フレームに設けられた第１連結部と第２フレームに設けられた第２連結部とを跨ぐように座面部の対角方向に設けられている。そのため、使用状態から取手を上方に引き上げると第１連結部と第２連結部とが引き寄せられ、これに伴って第１フレームと第２フレームとは折り畳まれた状態になる。このように、本態様では、取手を上方に引き上げるだけで椅子を使用状態から収納状態に遷移させることができるので折り畳みが容易であり、また折り畳む際にフレームに触れることはないのでフレームに指を挟むような懸念がない。
【０００８】
請求項２の発明は、請求項１記載の発明において、前記取手は、前記使用状態において、前記座面部の座面上に添うように長さ調整して設けられたことを特徴とする。
【０００９】
以上の態様では、帯状の取手が使用状態で座面に添う程度の長さに設定されることで、座面上で邪魔にならずにそのまま座面に座ることができ、使用感が良い。
【００１０】
請求項３の発明は、請求項１又は２記載の発明において、前記取手は、前記座面部又は前記第１連結部及び前記第２連結部に対して、着脱自在に構成されたことを特徴とする。
【００１１】
以上の態様では、例えば、使用状態から収納状態に遷移させるときや、収納状態において取手を座面部に取り付け、使用状態においては取手を取り外しておくことで、使用時に座面上で取手が邪魔にならず、さらに使用感の良い椅子を提供することが可能となる。
【００１２】
請求項４の発明は、請求項１〜３のいずれか１項に記載の発明において、前記収納状態で前記交差軸の軸方向から見て、前記第１脚部と前記第２脚部の間に隙間が形成されていることを特徴とする。
【００１３】
以上の態様では、収納状態で交差軸の軸方向（側面）から見て、第１脚部と第２脚部の間に隙間が形成されている。すなわち、収納状態で第１脚部と第２脚部とが重ならない。したがって、使用状態にある折り畳み椅子において、子どもが第１脚部と第２脚部の間の隙間に指を入れた場合、そのまま折り畳み椅子が折り畳まれたとしても、収納状態で第１脚部と第２脚部とが重ならないので、指が挟まれることがない。また、成人の場合であっても、使用者が意図しないときに、折り畳み椅子が傾く等といった重心の変化により折り畳まれてしまうことが想定されるが、そのように不意に折り畳まれたとしても、指を挟むことを防止できるため安全性が高い。
【００１４】
請求項５の発明は、請求項４に記載の発明において、前記交差軸の軸方向から見て、前記第１脚部が略直線状に形成され、前記第２脚部は前記交差軸を中心とする略Ｓ字状に形成されていることを特徴とする。
【００１５】
以上の態様では、２つのフレームのうち一方のフレームの脚部（第２脚部）を２点屈曲させるのみで、収納状態において第１脚部と第２脚部との間に隙間を創出することができる。このような構成では、フレームの加工が容易であり、経済性に優れている。
【００１６】
請求項６の発明は、請求項４又は５に記載の発明において、前記収納状態で前記交差軸に直交する方向から見て、前記第１フレームと前記第２フレームは略コの字型で近接して形成されていることを特徴とする。
【００１７】
以上の態様では、収納状態において、折り畳み椅子を交差軸の軸方向（側面）から見ると第１脚部と第２脚部の間に隙間が設けられているが、交差軸に直交する方向（正面）から見ると第１脚部と第２脚部はほぼ重なった状態にある。すなわち、交差軸の軸方向の幅は、従来の折り畳み椅子と同様に、一対の第１脚部間距離又は一対の第２脚部間距離により決まる。交差軸の軸方向の幅が特別に広がることがないため、省スペースでの収納が可能である。
【発明の効果】
【００１８】
以上の本発明によれば、折り畳みが容易であり、かつ、折り畳む際に手あるいは指を挟むことを防止できる折り畳み椅子を提供することができる。
【図面の簡単な説明】
【００１９】
【図１】本発明の実施の形態に係る折り畳み椅子の使用状態を示す全体斜視図。
【図２】本発明の実施の形態に係る折り畳み椅子の使用状態を示す平面図。
【図３】本発明の実施の形態に係る折り畳み椅子の使用状態を示す側面図。
【図４】本発明の実施の形態に係る折り畳み椅子の収納状態を示す側面図。
【図５】本発明の実施の形態に係る折り畳み椅子の収納状態において使用者が携行した状態を示すイメージ図。
【発明を実施するための形態】
【００２０】
［１．本実施形態］
［１−１．構成］
（全体構成）
本実施形態の折り畳み椅子１は、図１に示すように、互いに連結された第１フレーム１０及び第２フレーム２０と、第１フレーム１０及び第２フレーム２０に取り付けられた座面部３０と取手４０とから構成される。
【００２１】
第１フレーム１０の外側に、第２フレーム２０が配置され、第１フレーム１０と第２フレーム２０とは、後述する第１軸穴１３ａ，１３ｂ及び第２軸穴２３ａ，２３ｂを介してＸ字状に交差するように配置されている。図２に示すとおり、この第１軸穴１３ａ，１３ｂと第２軸穴２３ａ，２３ｂに軸Ａ１，Ａ２を挿入することにより、軸Ａ１，Ａ２を中心として、回動可能に連結される。
【００２２】
また、図３に示すように、第１フレーム１０の上端部１０Ａと第１軸穴１３間の距離と第２フレーム２０の上端部２０Ａと第２軸穴２３の間の距離は、略同一であり、第１フレーム１０の下端部１０Ｂと第１軸穴１３間の距離と第２フレーム２０の下端部２０Ｂと第２軸穴２３の間の距離は、略同一である。そのため、収納状態で、第１フレーム１０の上端部１０Ａと第２フレーム２０の上端部２０Ａ、及び第１フレーム１０の下端部１０Ｂと第２フレーム２０の下端部２０Ｂとは近接するようになっている。
【００２３】
（第１フレームの構成）
第１フレーム１０は、図１に示すように、全体形状がパイプ状の部材を略コの字型に加工してなるものであって、互いに略平行に配置された一対の第１脚部１１ａ，１１ｂ（図１において図示せず。図２参照。）と、第１脚部１１ａ，１１ｂ間において直交する方向に形成される第１連結部１２と、を備える。この第１脚部１１ａ，１１ｂと、第１連結部１２との略直交方向に湾曲した連結部分は、Ｒ状の角部１０ａ，１０ｂを形成している。
【００２４】
第１脚部１１ａ，１１ｂは、図２の平面図及び図３の側面図に示すように、折り畳み椅子１の平面及び側面から見て略直線状に形成されている。第１脚部１１ａ，１１ｂの中央部分には、後述する第２脚部２１ａ，２１ｂと連結するための第１軸穴１３ａ，１３ｂが設けられている。
【００２５】
また、第１脚部１１ａ，１１ｂの端部には、それぞれ脚キャップ１４ａ，１４ｂが設けられている。脚キャップ１４ａ，１４ｂは略半球体であり、脚キャップ１４ａ，１４ｂの平面部には図示しないピンが備えられ、そのピンを第１フレーム１０の先端に打ち込むことにより第１脚部１１ａ，１１ｂに固定されている。
【００２６】
（第２フレームの構成）
第２フレーム２０は、図１及び図２に示すように、全体形状が、第１フレーム１０と同様、パイプ状の部材を略コの字型に加工してなるものである。第２フレーム２０は、互いに略平行に配置された一対の第２脚部２１ａ，２１ｂと、第２脚部２１ａ，２１ｂ間において直交する方向に形成される第２連結部２２とからなり、第２脚部２１ａ，２１ｂと第２連結部２２とは略直交方向に湾曲しており、角部２０ａ，２０ｂはＲ状に形成されている。第２フレーム２０の先端には、第１フレーム１０の先端と同様に、脚キャップ２４ａ，２４ｂが設けられている。以下、各構成について細かく説明する。
【００２７】
まず、第２脚部２１ａ，２１ｂの構成について、図３を参照して説明する。なお、第２脚部２１ａ，２１ｂは鏡像対称であるため、第２脚部２１ａ，２１ｂの構成については、第２脚部２１としてまとめて説明する。
【００２８】
図３に示すように、第２脚部２１は、脚上部２５と脚中間部２６と脚下部２７との３つのパートから構成される。脚上部２５と脚中間部２６とは、下に凸の上屈曲部２８を境界として屈曲し、脚中間部２６と脚下部２７とは、上に凸の下屈曲部２９を境界として屈曲している。脚部中間部２５を挟んで設けられた脚下部２７は、上屈曲部２８と下屈曲部２９との屈曲により、略平行になるように構成される。第２脚部２１の中央には、第１脚部１１と連結可能な第２軸穴２３が設けられている。
【００２９】
このように第２脚部２１は、折り畳み椅子１の側面方向から見て、第２軸穴２３を中心として略Ｓ字状に形成されている。ここでいう「Ｓ字状」とは、上述の例に示すとおり、第２軸穴を中心としてその両側に２つの屈曲部を有する形状のことをいい、この屈曲部（上屈曲部２８及び下屈曲部２９）は、図３に示すようにＲ状に屈曲するものも、角を形成して屈曲するものも含む。
【００３０】
なお、本実施形態では、上屈曲部２８によって形成される脚上部２５と脚中間部２６の屈曲角度と、下屈曲部２９によって形成される脚下部２７と脚中間部２６の屈曲角度は、約１２３度で形成されている。この角度は、最適な実施形態として提示する角度であり、本発明としては、この角度の大小の幅はもちろん許容するものであるが、その際は、以下のようなデメリットを考慮する必要がある。
【００３１】
すなわち、屈曲角度を本実施形態よりも鋭角にすると、上屈曲部２８及び下屈曲部２９にかかる負荷が大きくなり、折り畳み椅子の強度が低下する。また、屈曲角度が鋭角になるほど、収納状態において、上屈曲部２８及び下屈曲部２９と、第１脚部１１との隙間の幅が広くなるが、畳んだ状態において折り畳み椅子全体に厚みが出てしまう。一方、角度が鈍角になるほど、収納状態において、第１脚部１１と第２脚部２１との間の隙間が小さくなり、指が挟まれる可能性が高くなる。本実施形態では、以上のような得失を考慮し、前述のとおり角度を１２３度に設定したものである。
【００３２】
第２連結部２２は、図１及び図２に示すように、第１連結部１２より長く形成される。これは、上述のように、第２連結部２２を含む第２フレーム２０が、第１連結部１２を含む第１フレーム１０の外側で、第１軸穴１３ａ，１３ｂ及び第２軸穴２３ａ，２３ｂを介して接続されていることによる。
【００３３】
（座面部の構成）
座面部３０は、図１及び図２に示すように、第１フレーム１０の第１連結部１２と、第２フレーム２０の第２連結部２２との間に架け渡されている。座面部３０は、布やポリエステル等の折り畳み可能なように柔軟な部材で構成され、対抗する二組の辺３１ａ，３１ｂ、３２ａ，３２ｂを有する略方形に形成されている。
【００３４】
座面部３０の互いに対向する一組の辺３１ａ，３１ｂのうち、一方の端部３１ａは、第１連結部１２の外側から内側へ第１連結部１２を覆うように巻きつけた後、座面部３０の裏側に固定される。また、もう一方の辺３１ｂは、第２連結部２２の外側から内側へ第２連結部２２を覆うように巻きつけた後、座面部３０の裏側に固定される。これにより、座面部３０は、第１連結部１２と第２連結部２２との間に固定されるようになっている。この座面部３０の固定は、縫い合わせ、粘着剤接着、熱圧着等の種々の方法により行うことができる。また、辺３１ａ，３１ｂは、座面部３０の面積をできるだけ大きく確保すべく、第１連結部１２と略同一の長さに形成されている。
【００３５】
（取手の構成）
取手４０は、図１及び図２に示すように、座面部３０の対角方向に第１連結部１２と第２連結部２２とを跨ぐように設けられている。取手４０は、帯状でなり、布やポリエステル等、座面部３０の素材と同様の素材により形成される。ここで、対角方向とは、必ずしも厳密に座面部３０の対角上ということではなく、座面部３０に対して斜め方向に近い意義であり、第１連結部１２と第２連結部２２とを跨いで斜め方向に設けられていれば良いという意義である。
【００３６】
取手４０は、図３に示すように、その端部を、座面部３０の辺３１ａ又は辺３１ｂの側において、座面部３０の端部に取り付けるようにしても良いし、座面部３０から辺３２ａ，３２ｂ側に飛び出した状態で、第１連結部１２及び第２連結部２２に巻き付けて固定するようにしても良い。また、同図３に示すように、取手４０は、その長さを、座面部３０の対角方向の距離と同等に形成することで、折り畳み椅子１の使用状態においては、座面部３０の面上に添うように形成される。
【００３７】
［１−２．作用効果］
以上のような本実施形態の構成に基づいて、折り畳み椅子１の作用効果について説明する。
（１）折り畳み椅子の使用方法
本実施形態では、図２に示すように、第１連結部１２と第２連結部２２が離間した状態が使用状態である。座面部３０がピンと張った状態となることにより、第１フレーム１０と第２フレーム２０が固定保持される。このとき、第１脚部１１の脚中間部２６と座面部３０とは略平行であり、交差軸の軸方向から折り畳み椅子１を見ると、座面部３０と第１脚部１１と第２脚部２１とに囲まれた略台形の隙間が形成されている。
【００３８】
また、取手４０は、座面部３０の面上対角方向に配されているが、その長さは座面部３０の第１連結部１２及び第２連結部２２間の渡りと同等に形成されるため、座面部３０の面上に添うようになっている。
【００３９】
次に、以上のような使用状態から収納状態への遷移について説明する。
本実施形態の折り畳み椅子１を収納するに当たっては、取手４０を用いる。すなわち、取手４０の中央部分を図１において上方に持ち上げる。この取手４０は、上述の通り、第１連結部１２及び第２連結部２２間に架け渡されているので、取手４０を引き上げることにより、第１連結部１２と第２連結部２２とは、折り畳み椅子１の折り畳み方向に引き寄せられる。
【００４０】
これにより、第１脚部１１ａ，１１ｂと第２脚部２１ａ，２１ｂとは、軸Ａ１，Ａ２（図２参照）を中心に回動する。これにより、第１脚部１１の上部と第２脚部２１の脚上部２５が接近し、また、第１脚部１１の上部と第２脚部２１の脚下部２７とが接近する。同時に、座面部３０の張りは緩み、その中央部は重力方向に垂れ下がっていく。
【００４１】
そして、図４に示す状態が収納状態である。同図に示すように、この状態では、取手４０が上方に引っ張り上げられており、この取手４０の引っ張りにより、第１連結部１２と第２連結部２２とが接した状態となる。
【００４２】
また、座面部３０は略Ｕ字に弛んだ状態となっている。さらに、交差軸の軸方向（図４に示す側面方向）から折り畳み椅子１を見ると、第１脚部１１と第２脚部２１とに囲まれた２つの略三角形の隙間が形成されている。
【００４３】
（２）折り畳み椅子の携行例
図５を用いて、本実施形態の折り畳み椅子を携行する場合の例を示す。上述のように、折り畳み椅子１は、取手４０を引き上げることで、椅子を使用状態から収納状態へ容易に遷移させることが可能であるが、それだけでなく、図５に示すように、収納状態において、例えば取手４０を肩掛けにすることで、容易に携行することが可能である。
【００４４】
図５（ａ）は、身長のあまり大きくない子供が折り畳み椅子１を携行する場合のイメージ図であり、同図（ｂ）は、平均的な身長の大人が折り畳み椅子１を携行する場合のイメージ図である。
【００４５】
同図（ａ）に示すように、子供であれば、取手４０を肩掛けにして容易に携行することが可能である。また、同図（ｂ）に示すように、大人であれば、一つの折り畳み椅子の取手４０を肩掛けにし、同時に、もう一つの折り畳み椅子の取手を手持ちにすることによって、複数の折り畳み椅子を携行することが可能となる。
【００４６】
（３）効果
以上のような本実施形態の折り畳み椅子１は、次のような効果を奏する。すなわち、第１フレーム１０の第１連結部１２と第２フレーム２０の第２連結部２２との間に架け渡された座面部３０の対角上に、帯状の取手４０が設けられている。そのため、椅子１を使用状態から収納状態にするに当たっては、この取手４０を持ち上げることにより、椅子１を容易に折り畳むことができる。
【００４７】
すなわち、取手４０は、第１フレーム１０に設けられた第１連結部１２と第２フレーム２０に設けられた第２連結部２２とを跨ぐように、座面部３０に対角上に設けられているため、図１に示す使用状態から取手４０を上方に引き上げると、第１連結部１２と第２連結部２２とが引き寄せられ、これに伴って第１フレーム１０と第２フレーム２０とは、折り畳まれた状態になる。このように、本態様では、取手４０を上方に引き上げるだけで、椅子１を使用状態から収納状態に遷移させることができるので、折り畳みが容易であり、また折り畳む際にフレームに触れることはないので、フレームに指を挟むような懸念がない。
【００４８】
本実施形態の折り畳み椅子１では、帯状の取手４０が、使用状態において座面部３０に添う程度の長さに設定されることで、座面部３０上で邪魔にならず、そのまま座面部３０に座ることができ、使用感が良い。
【００４９】
また、取手４０を肩掛けにしたり、取手とすることで、折り畳み椅子１の携行が容易となる。近年、美術館などにおいて、折り畳み椅子を多数設置し、一つ一つの美術品を椅子に掛けながら、ゆっくりと鑑賞することが可能なサービスが行われているが、そのような場合に本実施形態の折り畳み椅子１を用いれば、一つの美術品から次の美術品への移動を頻繁に行うような場合であっても、取手４０による容易な折り畳み作業と携行が可能であるので、使い勝手が良い。
【００５０】
また、折り畳み椅子１では、収納状態で交差軸の軸方向（側面）から見て、第１脚部１２と第２脚部２２の間に隙間が形成されている。すなわち、収納状態で第１脚部１２と第２脚部２２とが重ならない。したがって、使用状態にある折り畳み椅子１において、使用者が第１脚部１２と第２脚部２２の間の隙間に指を入れた場合、そのまま折り畳み椅子１が折り畳まれたとしても、収納状態で第１脚部１２と第２脚部２２とが重ならないので、指が挟まれるような心配がない。
【００５１】
折り畳み椅子１では、上述のように、折り畳みが容易であり、第１連結部１２、第２連結部を持ってお互いを近づけなくても、第１脚部の脚上部と第２脚部の脚上部を持ってお互いを近づけるなどしても、折り畳むこともできる。従来のフレーム同士が収納状態で重なるような折り畳み椅子では、第１脚部の脚上部と第２脚部の脚上部を持って折り畳み作業を行うと指を挟む可能性があったが、本実施形態の折り畳み椅子では、指が挟まれることがない。本実施形態の折り畳み椅子は、折り畳む際に掴める場所が複数あり、利便性が高い。
【００５２】
また、折り畳み椅子１では、収納状態において、第１連結部と第２連結部とが接している。したがって、嵩張らずに、複数の折り畳み椅子を重ね合わせることができる。また、第１連結部と第２連結部とを同時に掴むことにより、片手で折り畳み椅子を持ち運ぶこともできる。
【００５３】
折り畳み椅子１では、交差軸の軸方向（側面）から見て、第１脚部が略直線状に形成され、第２脚部が交差軸を境に２つの屈曲部（上屈曲部、下屈曲部）を有する略Ｓ字状に形成されている。このように、２つのフレームのうち一方のフレームの脚部（第２脚部）を２点屈曲させるのみで、収納状態において第１脚部と第２脚部との間に隙間を創出することができる。フレームの加工が容易であり、経済性に優れている。
【００５４】
折り畳み椅子１では、また、第１フレーム、第２フレームはいずれも略コの字型に形成されており、収納状態で交差軸に直交する方向（正面）から見て第１脚部の外側に第２脚部が略平行に近接している。すなわち、交差軸の軸方向の幅は、従来の折り畳み椅子と同様に、一対の第２脚部間距離により決まる。交差軸の軸方向の幅が特別に広がることがないため、省スペースでの収納が可能である。
【００５５】
通常、第１脚部と第２脚部と間に空間を創出させるために、第１脚部と第２脚部との間に軸方向に距離を設けることが考えられるが、本実施形態では第２脚部を２点屈曲させるのみで空間を創出することができるため、軸方向にそのような距離を設ける必要がない。したがって、本実施形態の折り畳み椅子は、通常のカシメ方法で第１脚部と第２脚部とを連結させて組み立てることができる。そのため、特別な組立て技術が必要なく経済性に優れる。また、２つの脚部を連結させるため軸への負荷が小さく、折り畳み椅子の強度が高い。
【００５６】
折り畳み椅子１の第１フレームは、コの字型の角部がＲ状に形成されており、本実施形態の第２フレームは、コの字型の角部、脚部の上屈曲部及び下屈曲部がＲ状に形成されている。そのため、使用感がよく、美観にも優れている。
【００５７】
折り畳み椅子１の第１フレーム及び第２フレームは、先端に略半球の脚キャップが設けられている。そのため、折り畳み椅子の脚を床面上で滑らせながら開脚する際に、スムーズな滑りで開脚させることができる。また、折りたたみ椅子を床面上で滑らせても、第１フレーム及び第２フレームの先端部によって床面を傷つけることがない。
【００５８】
［２．他の実施形態］
本発明は上記実施形態に限定されるものではなく、以下のような態様も包含する。例えば、本実施形態では、取手は、座面部又は第１連結部及び前記第２連結部に対して、着脱自在に構成することも可能である。これにより、使用用状態から収納状態に遷移させるときや、収納状態において取手を座面部に取り付け、使用状態においては、取手を取り外しておくことで、使用時に座面上で取手が邪魔にならず、さらに使用感の良い椅子を提供することが可能となる。
【００５９】
本実施形態では、上述のように、取手を座面上に対角方向に設けているが、本発明では、第１連結部と第２連結部とを跨いで斜め方向に設けられている限り、取り付け方向については任意であるが、持ち上げた際に、肩掛けが可能な程度に取手の長さを確保しつつ、一方で、座面に着座する際の着座感を考慮し、座面上に添う程度の長さにするのが好ましい。
【００６０】
本実施形態の折り畳み椅子は、座面部上面の端部に点ファスナー、線ファスナー、面ファスナー等の係止具を設け、座面部が半分に折り畳まれた収納状態で座面部を係止具で閉じることにより、収納袋（鞄）として利用してもよい。
【符号の説明】
【００６１】
１…折り畳み椅子
１０…第１フレーム
１０ａ，１０ｂ…角部
１０Ａ…上端部
１０Ｂ…下端部
１１…第１脚部
１２…第１連結部
１３，１３ａ，１３ｂ…第１軸穴
１４ａ，１４ｂ…脚キャップ
２０…第２フレーム
２０ａ，２０ｂ…角部
２０Ａ…上端部
２０Ｂ…下端部
２１…第２脚部
２２…第２連結部
２３，２３ａ，２３ｂ…第２軸穴
２４ａ，２４ｂ…脚キャップ
２５…脚上部
２６…脚中間部
２７…脚下部
２８…上屈曲部
２９…下屈曲部
３０…座面部
３１ａ，３１ｂ，３２ａ，３２ｂ…辺
４０…取手
【図１】
2014000256.tif 000003
【図２】
2014000256.tif 000004
【図３】
2014000256.tif 000005
【図４】
2014000256.tif 000006
【図５】
2014000256.tif 000007